(57)【要約】      （修正有）【課題】台拭きにも使用できるコースターである台拭きコースター、より詳しくは、台拭き、コースターいずれの使用にも適したサイズを実現するため折り畳んでコースターサイズ可能とし、さらには、伝達文書が記載されたメッセージ機能も備える台拭きコースターを提供する。【解決手段】吸水材２に、コースター模様３を備えたことを特徴とする台拭きコースター１、また、前記吸収材を２回折り畳みしてコースターと使用するタイプにおいて、前記コースター模様が四等分エリア内に４つ設けたうえで、隣り合う２つの前記コースター模様面にのみに図柄又は文字が記載されたことを特徴とする台拭きコースターとした。【選択図】図１
0003233769.tif 000002
【実用新案登録請求の範囲】
【請求項１】
吸水材に、コースター模様を備えたことを特徴とする台拭きコースター。
【請求項２】
前記コースター模様は、前記吸水材を、１回折り畳み、或いは２回折り畳みした場合に、一平面に１つ視認できる位置に配置されることを特徴とする請求項１に記載の台拭きコースター。
【請求項３】
前記コースター模様とともに、図柄又は文字が記載されていることを特徴とする請求項１又は請求項２に記載の台拭きコースター。
【請求項４】
前記文字が、異なるコースター模様において、相反する意味の文字を含むことを特徴とする請求項１〜請求項３の何れか１項に記載台拭きコースター。
【請求項５】
前記吸収材を２回折り畳みしてコースターと使用するタイプにおいて、
前記コースター模様が四等分エリア内に４つ設けたうえで、
隣り合う２つの前記コースター模様面にのみに図柄又は文字が記載されたことを特徴とする請求項１〜請求項４の何れか１項に記載の台拭きコースター。
【請求項６】
請求項１〜請求項５の何れか１項に記載の台拭きコースターを、容器飲料に添付したことを特徴とする台拭きコースター付き容器飲料。
【考案の詳細な説明】
【技術分野】
【０００１】
本考案は、台拭きにも使用できるコースターである台拭きコースターに関し、より詳しくは、台拭き、コースターいずれの使用にも適したサイズを実現するため折り畳んでコースターサイズ可能とし、さらには、伝達文書が記載されたメッセージ機能も備える台拭きコースターに関する。
【背景技術】
【０００２】
台拭きは、生地（例えば、不織布、タオル生地、織物など）或いはペーパーなどの吸水材が使用される。少なくとも、展開して平面視２０−３０ｃｍ四方の大きさはある。
【０００３】
他方、コースターは、飲料容器の外側に析出した水滴が流下して、台を濡らすのを防ぐため、飲料容器を載せるコルク、樹脂プレート（特許文献１）、厚紙などである。そして、コースターの一般的な形状、サイズ、直径７−８ｃｍの円形、一辺が７−８ｃｍ四角形である。それらコースターは、十分な吸水力、保水力がなく、定期的に貯まった水分を拭き取る必要がある。
【０００４】
さらに、一般的なコースターサイズでは台拭きとしては、小さすぎて使い勝手が悪い。他方、小さなタオル、テーブルクロスではコースターには大きすぎる。
【先行技術文献】
【特許文献】
【０００５】
【特許文献１】実開平０８−７７９号公報
【考案の概要】
【考案が解決しようとする課題】
【０００６】
そこで、本考案は、台拭きにも使用できるコースターである台拭きコースター、より詳しくは、台拭き、コースターいずれの使用にも適したサイズを実現するため折り畳んでコースターサイズ可能とし、さらには、伝達文書が記載されたメッセージ機能も備える台拭きコースターを提供することを目的とする。
【課題を解決するための手段】
【０００７】
本考案は、上記課題を解決するため、
（１）
吸水材に、コースター模様を備えたことを特徴とする台拭きコースター。
（２）
前記コースター模様は、前記吸水材を、１回折り畳み、或いは２回折り畳みした場合に、一平面に１つ視認できる位置に配置されることを特徴とする（１）に記載の台拭きコースター。
（３）
前記コースター模様とともに、図柄又は文字が記載されていることを特徴とする（１）又は（２）に記載の台拭きコースター。
（４）
前記文字が、異なるコースター模様において、相反する意味の文字を含むことを特徴とする（１）〜（３）の何れか１に記載台拭きコースター。
（５）
前記吸収材を２回折り畳みしてコースターと使用するタイプにおいて、
前記コースター模様が四等分エリア内に４つ設けたうえで、
隣り合う２つの前記コースター模様面にのみに図柄又は文字が記載されたことを特徴とする（１）〜（４）の何れか１に記載の台拭きコースター。
（６）
（１）〜（５）の何れか１に記載の台拭きコースターを、容器飲料に添付したことを特徴とする台拭きコースター付き容器飲料。
とした。
【考案の効果】
【０００８】
本考案は、上記構成であるので、台拭き、コースターいずれの使用にも適したサイズを実現するため折り畳んでコースターサイズ可能とし、さらには、伝達文書が記載されたメッセージ機能も備える台拭きコースターを提供できるようになる。
【図面の簡単な説明】
【０００９】
【図１】本考案である第一の実施形態の台拭きコースターの平面図である。
【図２】図１の台拭きコースターの（Ａ）折り畳み状態（表側）、（Ｂ）折り畳み状態（裏側）の斜視図である。
【図３】図１の台拭きコースターを、ビールを注いだビールジョッキのコースターと使用している様子を示す斜視模式図である。
【図４】（Ａ）〜（Ｄ）は、コースター模様内の文字例、気持ち伝達文書である。
【図５】（Ａ）〜（Ｃ）は、コースター模様内の文字例、教訓、啓蒙文書である。
【図６】（Ａ）〜（Ｃ）は、コースター模様内の文字例、セールスプロモーション文書である。
【図７】本考案である第二の実施形態の台拭きコースターの平面図である。
【考案を実施するための形態】
【００１０】
以下、添付図面に基づき、本考案の実施の形態について詳細に説明する。ただし、本考案はそれら実施形態の形状、大きさに限定されるものではない。
【実施例１】
【００１１】
図１に示すように、本考案の第一の実施形態である台拭きコースター１は、吸水材２に、コースター模様３を備えてなる。台拭きコースター１は、繰り返し洗浄使用しても、使い捨てしてもよい。
【００１２】
吸水材２としては、種々台拭きとして一般に流通、使用される既存の生地（例えば、不織布、タオル生地、織物など）或いはペーパーなどを採用できる。なお、ここでは、４箇所のコースター模様３以外は一面単色で着色されている。
【００１３】
吸水材２の色は、コースター模様があれば、吸水材は、着色、非着色、模様があってもよい。吸水材２のサイズは、一般的な台拭きサイズでよく、少なくとも、１回、或いは２回以上、折り畳んでコースターサイズになる大きさであればよい。
【００１４】
コースター模様３は、飲料容器を載置する場所を指示する模様で、特に限定されない。図１のように白抜け円形の他、着色円形、白抜け、着色三角形・四角形或いは多角形などが例示できる。飲料容器を載置する場所を指示する模様を備えるのは、その模様がなければ、使用者が単なる台拭きと認識し、コースターと使用しないことを防ぐためである。
【００１５】
さらに、コースター模様３は、吸水材２を、１回折り畳み、或いは２回折り畳みした場合に、一平面に１つ視認できる位置に配置される。図１においては、縦横１回ずつ、計２回に、吸水材２を折り畳んだ場合に、図２のように、折り畳んだ状態で、（Ａ）は平面、（Ｂ）は（Ａ）の底面を上にしたときのように、コースター模様３が、１つ視認できる。
【００１６】
また、コースター模様３内或いは外、内をはみ出し内外にわたり、即ちコースター模様がある面には、コースター模様とともに、図柄、又は文字の記載があってもいい。文字としては、文書などで、意思表示、気持ちなどの伝達、教訓、啓蒙、宣伝などが例示できる。
【００１７】
意思表示としては、図１、２では、異なるコースター模様において、相反する意味の文字、肯定的意思表示文字４ａ「ＹＥＳ」、否定的意思表示文字４ｂ「ＮＯ」を採用した。家庭において、なにかの予定について、口頭で伝達することなく、晩酌の際に、本発明の台拭きコースター１を利用して、意思を伝達することができる。
【００１８】
図１に示す配置（隣合う同士が反対の意味）であれば、折り畳んだとき、表と裏で、異なる意味の文字が位置し、折り直さなくても、表裏反転させれば、異なる意味を上に位置され、視認させることができる。展開平面だけでなく、その裏面にも同様に、裏移りに配慮してコースター模様３、肯定的意思表示文字４ａ「ＹＥＳ」、否定的意思表示文字４ｂ「ＮＯ」などを備えてもよい。
【００１９】
本発明の台拭きコースター１は、図３のように、折り畳まれ、コースター模様３があることでコースターと認識され、容器飲料、ここでは、冷やしたビール５ａ入りジョッキ５を載置し、ジョッキ５の外側に付着した水滴の流下水を吸収する。さらに、飲酒時の飲食のハネ、こぼれを拭く台拭きとしても使用できる。台拭きとして拭くときは、コースター面でない部分を使用すれば、汚れがジョッキ５に付着しないので、清潔を維持できる。
【００２０】
吸水材２の素材、例えば不織布、厚さによっては、裏面のコースター模様３面の図柄又は文字が表面に透けてしまうことがある。そのような場合には、隣り合う２つのコースター模様３面にのみだけ、図柄又は文字を記載すればよい。折り畳むことで、記載された２つのコースター模様３の間に、２枚の図柄又は文字が記載されていない吸水材２部分が折り込まれることになるので、裏面の表への透けは防止できる。
【００２１】
図４に、コースター模様３内に記載する文字として、家庭などでのコミュニケーションを例示した。妻、或いは子供から夫、母へのメッセージとして、例えば、（Ａ）気持ち伝達文書４ｃ「お仕事お疲れ様でした」、（Ｂ）気持ち伝達文書４ｄ「γ−ＧＴＰも気にしてね！」、（Ｃ）気持ち伝達文書４ｅ「頑張って、パパ！」、（Ｄ）文書４ｆ「いらっしゃりませ、居酒屋我が家」などがある。
【００２２】
図５に、コースター模様３内に記載する文字として、家庭、飲食店などで使用できる、教訓、啓蒙、ルール表現を例示した。配偶者向け、お客向けのメッセージとして、（Ａ）教訓４ｇ「飲んだら乗る！乗るなら飲むな！」、（Ｂ）教訓４ｈ「酒は飲んでも飲まれるな」、（Ｃ）啓蒙４ｉ或いはルールとして「禁煙」などがある。
【００２３】
図６に、コースター模様３内に記載する文字として、宣伝（セールスプロモーションバージョン）を例示した。お客、参加者向けのメッセージとして、（Ａ）宣伝４ｋ「●●ビールサマーフェア」、（Ｂ）宣伝４ｍ「●●商工会夏祭り実行委員会」、（Ｃ）宣伝４ｎ「居酒屋チェーン●●●」などがある。
【実施例２】
【００２４】
図７に示すように、本考案の第二の実施形態である台拭きコースター１ａは、吸水材２ａに、コースター模様３ａを備えてなる。実施例１において、コースター模様３ａが着色され、その他の吸水材が非着色、或いはコースター模様３ａと異なる色調である点が異なるだけである。したがって、それ以外の構成は、実施例１を参照のこと。
【００２５】
このようにしてなる台拭きコースターは、容器飲料に添付することで販促品として利用できる。容器飲料として、ジュース、水、ビール、酒、容器として、缶、瓶、ペット容器などが例示できる。
【００２６】
本考案を容器飲料に添付する販促の他、本考案に観光地名、観光地にちなんだ表現、「大好き、●●！」、「●●●に行ってきました。」など、お土産とすることもできる。また、取引先、営業先への手土産として、会社名、営業者名を入れて、挨拶（年賀（干支入りなど））、販促に利用できる。
【符号の説明】
【００２７】
１      台拭きコースター
１ａ    台拭きコースター
２      吸水材
２ａ    吸水材
３      コースター模様
３ａ    コースター模様
４ａ    肯定的意思表示文字
４ｂ    否定的意思表示文字
４ｃ    気持ち伝達文書
４ｄ    気持ち伝達文書
４ｅ    気持ち伝達文書
４ｆ    文書
４ｇ    教訓
４ｈ    教訓
４ｉ    啓蒙
４ｋ    宣伝
４ｍ    宣伝
４ｎ    宣伝
５      ジョッキ
５ａ    ビール
【図１】
0003233769.tif 000003
【図２】
0003233769.tif 000004
【図３】
0003233769.tif 000005
【図４】
0003233769.tif 000006
【図５】
0003233769.tif 000007
【図６】
0003233769.tif 000008
【図７】
0003233769.tif 000009